(57)【要約】【課題】金属バンプを介して光部品を基板に実装する光部品の実装において、光伝達部を相互に接近させて光軸を精度良く合わせることができる光部品の実装方法および実装構造を提供することを目的とする。【解決手段】下面に第１の光伝達部３および金属バンプ２が設けられた光部品１を、第１の光伝達部３との間で光の授受を行う第２の光伝達部６が設けられ金属バンプ２が接合される接続用電極５を有する基板４に実装する光部品の実装方法において、金属バンプ２を接続用電極５に当接させてボンディングツール７によって光部品１に荷重と超音波振動を印加して、金属バンプ２を接続用電極５に金属接合するとともに、この金属接合過程において金属バンプ２の電極の高さ寸法を減少させて光部品１の下面と基板４の上面とを接近させる。これにより、光伝達部を相互に接近させて光軸を精度良く合わせることができる。【選択図】　図１
2004047775.tif 000002
【特許請求の範囲】
【請求項１】
下面に第１の光伝達部および第１の電極が設けられた光部品を、前記第１の光伝達部との間で光の授受を行う第２の光伝達部が設けられ前記第１の電極が接合される第２の電極を有する基板に実装する光部品の実装方法であって、前記第１の電極を前記第２の電極に当接させて光部品に荷重と超音波振動を印加することにより、第１の電極の下面を第２の電極の上面に金属接合するとともに、この金属接合過程において第１の電極もしくは第２の電極の高さ寸法を減少させることを特徴とする光部品の実装方法。
【請求項２】
前記第１の電極を前記第２の電極に当接させる搭載動作に先立って前記第２の電極周囲に樹脂接着材を供給し、前記金属接合後に樹脂接着材を硬化させることにより、第１の電極と第２の電極の接合部を補強するとともに外部からの光を遮光する遮光樹脂層を形成することを特徴とする請求項１記載の光部品の実装方法。
【請求項３】
前記第１の電極は光部品に設けられた金属バンプであり、第２の電極は基板に設けられた接続用電極であることを特徴とする請求項１または２記載の光部品の実装方法。
【請求項４】
前記第１の電極は光部品に設けられた接続用電極であり、第２の電極は基板に設けられた金属バンプであることを特徴とする請求項１または２記載の光部品の実装方法。
【請求項５】
下面に第１の光伝達部および第１の電極が設けられた光部品を、前記第１の光伝達部との間で光の授受を行う第２の光伝達部が設けられ前記第１の電極が接合される第２の電極を有する基板に実装して成る光部品の実装構造であって、前記第１の電極を前記第２の電極に当接させて光部品に荷重と超音波振動を印加することによって第１の電極の下面が第２の電極の上面と金属接合された金属接合面が形成されているとともに、実装過程において前記第１の電極もしくは第２の電極の高さ寸法が減少することにより光部品の下面と基板の上面との間の隙間が実装前よりも減少していることを特徴とする光部品の実装構造。
【請求項６】
前記第１の電極と第２の電極との接合部の周囲に、第１の電極と第２の電極の接合部を補強するとともに外部からの光を遮光する遮光樹脂層が形成されていることを特徴とする請求項５記載の光部品の実装構造。
【請求項７】
前記第１の電極は光部品に設けられた金属バンプであり、第２の電極は基板に設けられた接続用電極であることを特徴とする請求項５または６記載の光部品の実装構造。
【請求項８】
前記第１の電極は光部品に設けられた接続用電極であり、第２の電極は基板に設けられた金属バンプであることを特徴とする請求項５または６記載の光部品の実装構造。
【発明の詳細な説明】
【０００１】
【発明の属する技術分野】
本発明は、光通信用の光モジュールや光素子などの光部品を基板に実装する光部品の実装方法および実装構造に関するものである。
【０００２】
【従来の技術】
近年情報通信の高速化・大容量化の要請に応えるため、光通信が広く用いられるようになっている。光通信用の機器には、従来の電気通信用の機器にはなかった光モジュールや光素子などの光部品が用いられる。これらの光部品には、部品相互や光部品が実装される基板との間で信号伝達媒体としての光の授受を行うために、発光部や受光部など光伝達部が設けられている。そしてこれらの光部品の基板への実装に際しては、相対応する光伝達部を対向させた状態で光部品を基板に接合する。この実装形態として、通常のＢＧＡパッケージやフリップチップなどと同様に、半田バンプや金バンプなどの金属バンプによって基板に接合する方式が用いられるようになっている。
【０００３】
【発明が解決しようとする課題】
しかしながら、上述の光部品を金属バンプによって実装する方法においては、従来より以下のような不都合があった。まず半田バンプを用いて半田接合を行う方法における問題点を説明する。半田接合において安定した接合品質を確保するためには、接合部の大きさに応じた適正な半田量を必要とするため、半田バンプの大きさは必然的に接合品質上求められる下限サイズよりも大きくなる。
【０００４】
ところが半田バンプのサイズを大きくすると、実装後の光部品の下面と基板の上面との間の隙間が大きくなって、光伝達時の減衰が増大することによる性能低下が避けられなかった。またこの性能低下を避けようとすれば、光部品と基板の間にレンズや光増幅器を挿入する必要があり、コストアップを招いていた。
【０００５】
そしてバンプとして金バンプを用いる方法では、金バンプを基板の電極に押圧して金属接合する圧着方式が用いられる。この方式によれば、金バンプを大きな押圧荷重により押しつぶして実装後のバンプ高さを減少させることができ、光部品の下面と基板の上面との間の隙間を小さくすることが可能となる。
【０００６】
しかしながら、圧着において大きな押圧荷重を作用させると、基板の変形やバンプ高さのばらつきを招きやすく、実装後の光部品と基板との平行を保つことが難しい。この結果、実装後の状態において光部品と基板のそれぞれの光伝達部の光軸を精度良く合わせることができず、光伝達が正常に行えなくなるという難点がある。
【０００７】
このように、金属バンプを介して光部品を基板に実装する光部品の実装においては、従来より光伝達部を相互に接近させて光軸を精度良く合わせることが困難であるという問題点があった。
【０００８】
そこで本発明は、金属バンプを介して光部品を基板に実装する光部品の実装において、光伝達部を相互に接近させて光軸を精度良く合わせることができる光部品の実装方法および実装構造を提供することを目的とする。
【０００９】
【課題を解決するための手段】
請求項１記載の光部品の実装方法は、下面に第１の光伝達部および第１の電極が設けられた光部品を、前記第１の光伝達部との間で光の授受を行う第２の光伝達部が設けられ前記第１の電極が接合される第２の電極を有する基板に実装する光部品の実装方法であって、前記第１の電極を前記第２の電極に当接させて光部品に荷重と超音波振動を印加することにより、第１の電極の下面を第２の電極の上面に金属接合するとともに、この金属接合過程において第１の電極もしくは第２の電極の高さ寸法を減少させる。
【００１０】
請求項２記載の光部品の実装方法は、請求項１記載の光部品の実装方法であって、前記第１の電極を前記第２の電極に当接させる搭載動作に先立って前記第２の電極周囲に樹脂接着材を供給し、前記金属接合後に樹脂接着材を硬化させることにより、第１の電極と第２の電極の接合部を補強するとともに外部からの光を遮光する遮光樹脂層を形成する。
【００１１】
請求項３記載の光部品の実装方法は、請求項１記載の光部品の実装方法であって、前記第１の電極は光部品に設けられた金属バンプであり、第２の電極は基板に設けられた接続用電極である。
【００１２】
請求項４記載の光部品の実装方法は、請求項１記載の光部品の実装方法であって、前記第１の電極は光部品に設けられた接続用電極であり、第２の電極は基板に設けられた金属バンプである。
【００１３】
請求項５記載の光部品の実装構造は、下面に第１の光伝達部および第１の電極が設けられた光部品を、前記第１の光伝達部との間で光の授受を行う第２の光伝達部が設けられ前記第１の電極が接合される第２の電極を有する基板に実装して成る光部品の実装構造であって、前記第１の電極を前記第２の電極に当接させて光部品に荷重と超音波振動を印加することによって第１の電極の下面が第２の電極の上面と金属接合された金属接合面が形成されているとともに、実装過程において前記第１の電極もしくは第２の電極の高さ寸法が減少することにより光部品の下面と基板の上面との間の隙間が実装前よりも減少している。
【００１４】
請求項６記載の光部品の実装構造は、請求項５記載の光部品の実装構造であって、前記第１の電極と第２の電極との接合部の周囲に、第１の電極と第２の電極の接合部を補強するとともに外部からの光を遮光する遮光樹脂層が形成されている。
【００１５】
請求項７記載の光部品の実装構造は、請求項５記載の光部品の実装構造であって、前記第１の電極は光部品に設けられた金属バンプであり、第２の電極は基板に設けられた接続用電極である。
【００１６】
請求項８記載の光部品の実装構造は、請求項５記載の光部品の実装構造であって、前記第１の電極は光部品に設けられた接続用電極であり、第２の電極は基板に設けられた金属バンプである。
【００１７】
本発明によれば、光部品の第１の電極を基板の第２の電極に当接させ、光部品に荷重と超音波振動を印加して第１の電極の下面を第２の電極の上面に金属接合するとともに、金属バンプの高さ寸法を減少させて光部品の下面と基板の上面とを接近させることにより、光伝達部を相互に接近させて光軸を精度良く合わせることができる。
【００１８】
【発明の実施の形態】
（実施の形態１）
図１は本発明の実施の形態１の光部品の実装方法の工程説明図、図２は本発明の実施の形態１の光部品の実装構造の断面図、図３は本発明の実施の形態１の光部品および基板の断面図である。
【００１９】
まず図１を参照して、光部品の実装方法について説明する。この光部品の実装方法は、光モジュールや光素子などの光部品を金属バンプを介して基板に接合するとともに、光部品と基板にそれぞれ設けられた光伝達部を光の授受のための適正位置に位置合わせするものである。
【００２０】
図１（ａ）において、光部品１の下面の中央部には第１の光伝達部３が設けられており、第１の光伝達部３の両側方には第１の電極としての金属バンプ２が設けられている。光部品１が実装される基板４の上面には、第１の光伝達部３との間で光の授受を行う第２の光伝達部６が設けられており、第２の光伝達部６の両側には金属バンプ２が接合される第２の電極としての接続用電極５が設けられている。
【００２１】
第１の光伝達部３としては、発光機能のみを有したもの、受光機能のみを有したもの、また発光・受光の双方の機能を備えたものが、光部品１の種類によって用いられる。そして第２の光伝達部６は、基板４の内部に設けられた導波部６ａに接続されており、基板４に実装または接続された他部品と光部品１との間で導波部６ａを介して光の授受が行われる。
【００２２】
光部品１を基板４に実装する際には、図１（ｂ）に示すように、光部品１をボンディングツール７によって保持し、第１の光伝達部３を第２の光伝達部６に位置あわせした状態で、金属バンプ２を接続用電極５に当接させる。そしてこの後、ボンディングツール７によって光部品１に下向きの荷重と水平方向の超音波振動を印加する。これにより、金属バンプ２の下面は、図１（ｃ）に示すように接続用電極５の上面に固層拡散接合によって金属接合される。
【００２３】
そして金属接合過程において、光部品１に作用する押圧荷重と超音波振動によって金属バンプ２と接続用電極５の接合界面が塑性変形して高さ寸法が減少し、この高さ減少によって、光部品１の下面と基板４の上面との間の隙間は、図１（ｂ）に示す実装前の状態における高さ寸法Ｈ１から、図１（ｃ）に示す金属接合後の状態における高さ寸法Ｈ２まで減少する。このとき、単に金属バンプ２を押圧荷重で押しつぶすことによって光部品１を圧着する従来の実装方法と比較して、低荷重で隙間を大幅に減少させて実装を完了させることができる。なお上記実装過程において、押圧荷重と超音波振動とともに、基板４を１５０℃程度まで加熱すると、より効率的に実装を行うことができる。
【００２４】
図２は、このようにして光部品１を基板４に超音波接合によって実装した実装構造を示している。この実装構造においては、金属バンプ２の高さを減少させることによって、第１の光伝達部３と第２の光伝達部６との距離を極力接近させた構成となっている。また、実装過程において過大な押圧荷重を作用させる必要がないことから、基板４の変形や各金属バンプの変形のばらつきが小さく、第１の光伝達部３と第２の光伝達部６の平行度が良好な精度で確保されている。このように、第１の光伝達部３と第２の光伝達部６とを極力接近した位置でしかも高い位置精度で対向させて光軸を高精度で一致させた実装構造が実現でき、光部品１と基板４との間での光伝達時の減衰を防止することができる。
【００２５】
なお上記実施の形態では、金属バンプ２が設けられた光部品１を接続用電極５が設けられた基板４に実装する構成例を示しているが、図３に示すように下面に接続用電極２Ａが設けられた光部品１Ａを、上面に金属バンプ５Ａが設けられた基板４Ａに超音波接合を用いて、図１に示す方法と同様の方法で実装するようにしてもよい。
【００２６】
（実施の形態２）
図４は本発明の実施の形態２の光部品の実装方法の工程説明図である。本実施の形態２においては、実施の形態１と同様の光部品１を基板４に実装するに際し、基板４上に予め封止用の樹脂を供給するようにしたものである。光部品１および基板４は実施の形態１において示すものと同様である。
【００２７】
図４（ａ）において、金属バンプ２を接続用電極５に当接させる搭載動作に先立って、基板４の上面の接続用電極５の周囲には、エポキシ樹脂などの熱硬化性の樹脂接着材８が供給される。樹脂接着材８の供給に際しては、接続用電極５の周囲の所定範囲のみに適正量を供給し、第２の光伝達部６が樹脂接着材８によって覆われることがないような供給方法を用いる。たとえば、接続用電極５の配置に応じた形状に予め成形された樹脂シートを貼着する方法や、吐出量の制御が高精度で行えるディスペンサを用い、塗布位置を制御しながら塗布する方法などが用いられる。
【００２８】
実装過程においては、図４（ｂ）に示すように、実施の形態１と同様に光部品１をボンディングツール７によって保持し、第１の光伝達部３を第２の光伝達部６に位置あわせして、金属バンプ２を樹脂接着材８を介して接続用電極５に当接させる。そしてこの後、ボンディングツール７によって光部品１に下向きの荷重と水平方向の超音波振動を印加する。これにより、金属バンプ２の下面は、図４（ｃ）に示すように接続用電極５の上面に固層拡散接合によって金属接合される。
【００２９】
この後、基板４を加熱して樹脂接着材８を熱硬化させる。この樹脂硬化過程において、樹脂接着材８は金属バンプ２の表面に沿って光部品１の下面まで這い上がる。そしてこの状態で樹脂接着材８が熱硬化することにより、第１の光伝達部３と第２の光伝達部６とを囲んだ配置の封止樹脂部８Ａが形成される。
【００３０】
この封止樹脂部８Ａは、実装後において金属バンプ２と接続用電極５の接合部を補強するとともに、使用状態において外部からの光が第１の光伝達部３と第２の光伝達部６との対向面に到達することを遮断する遮光樹脂層として機能する。これにより、実施の形態１に示す効果とともに、外部からのノイズが確実に遮断された高品質の光伝達を行うことができる。
【００３１】
なお上記実施の形態では、金属バンプ２が設けられた光部品１を接続用電極５が設けられた基板４に実装する構成例を示しているが、図３に示すように下面に接続用電極２Ａが設けられた光部品１Ａを、上面に金属バンプ５Ａが設けられた基板４Ａに実装する場合においても、本実施の形態２に示す実装方法を適用することができる。
【００３２】
【発明の効果】
本発明によれば、光部品の第１の電極を基板の第２の電極に当接させた状態で光部品に荷重と超音波振動を印加して第１の電極の下面を第２の電極の上面に金属接合するとともに、金属バンプの高さ寸法を減少させて光部品の下面と基板の上面とを接近させることにより、光伝達部を相互に接近させて光軸を精度良く合わせることができる。
【図面の簡単な説明】
【図１】本発明の実施の形態１の光部品の実装方法の工程説明図
【図２】本発明の実施の形態１の光部品の実装構造の断面図
【図３】本発明の実施の形態１の光部品および基板の断面図
【図４】本発明の実施の形態２の光部品の実装方法の工程説明図
【符号の説明】
１，１Ａ　光部品
２，５Ａ　金属バンプ
３　第１の光伝達部
４，４Ａ　基板
５，２Ａ　接続用電極
６　第２の光伝達部
８　樹脂接着材
８Ａ　封止樹脂部
【図１】
2004047775.tif 000003
【図２】
2004047775.tif 000004
【図３】
2004047775.tif 000005
【図４】
2004047775.tif 000006